(57)【要約】【課題】部品点数の削減化及び組み立て作業の容易迅速化を図ることができるスクリーンの端部連結構造を提供する点にある。【解決手段】ケーシング内に回転自在に支持される巻き取り部材にスクリーン１の一端を連結し、かつ、スクリーン１の他端を板状部材８に連結し、板状部材８を保持させるための上端保持部材５の下端に、スクリーン１の他端が連結された板状部材８をそれの断面視における長辺がほぼ上下方向に沿う上下姿勢で上端保持部材５に挿入可能な開口部５Ａを形成し、上端保持部材５内に挿入された板状部材８をそれの断面視における長辺が上下方向と交差する傾斜姿勢に保持させるための姿勢保持手段を備えさせた。【選択図】      図６
2004205913.tif 000002
【特許請求の範囲】
【請求項１】
ケーシング内に回転自在に支持される巻き取り部材にスクリーンの一端を連結し、かつ、該スクリーンの他端を断面形状がほぼ長方形状でスクリーン幅方向に沿って所定長さを有する板状部材に連結し、前記板状部材を上端保持部材の内部空間内に保持させ、前記上端保持部材を上方に位置させてスクリーンを展張させた使用姿勢と該上端保持部材を該ケーシング側へ移動させて該スクリーンを巻き取り収納させた収納姿勢とに該スクリーンを姿勢変更自在に構成してなるスクリーン装置において、前記上端保持部材の下端に、前記スクリーンの他端が連結された板状部材をそれの断面視における長辺がほぼ上下方向に沿う上下姿勢で該上端保持部材に挿入可能な開口部を形成し、前記上端保持部材内に挿入された板状部材をそれの断面視における長辺がほぼ水平となる水平姿勢又は上下方向と交差する傾斜姿勢に保持させるための姿勢保持手段を備えさせたことを特徴とするスクリーンの端部連結構造。
【請求項２】
前記スクリーンを復元力を有する材料から構成し、前記板状部材の表裏両面のうちの一方の面に前記スクリーンをそれの上端の裏面を当て付けた状態で取り付け、前記取り付けられたスクリーンを前記板状部材の他方の面側へ巻き付けて該板状部材を前記上端保持部材の開口部を通して挿入することにより、該スクリーンが該板状部材の他方の面から離れる側へ移動して該板状部材を該上端保持部材内に固定して、前記姿勢保持手段を構成してなる請求項１に記載のスクリーンの端部連結構造。
【請求項３】
前記上端保持部材を構成する前後壁部のうちの後壁部又は前壁部の下部に、後方側ほど下方に位置する又は前方側ほど下方に位置する前記傾斜姿勢の板状部材の下端を係止する凹部を形成してなる請求項２記載のスクリーンの端部連結構造。
【請求項４】
前記上端保持部材を構成する前後壁部の内面同士の間隔を前記板状部材の断面視における長辺寸法よりも小さく設定してなる請求項２記載のスクリーンの端部連結構造。
【請求項５】
前記上端保持部材の左右両端に開口される開口部を閉じるためのキャップを設け、それらキャップのうちの少なくとも一方のキャップに、前記板状部材と上端保持部材との間に形成される隙間に入り込んで該板状部材の回転を接当阻止するための突出部を備えさせてなる請求項２記載のスクリーンの端部連結構造。
【発明の詳細な説明】
【０００１】
【発明の属する技術分野】
本発明は、上端支持部材を手で持ち上げる、又は電動モータなどの電動力を用いて上昇させることにより、スクリーンを上方に向けて展張させたり、上端支持部材を下方へ手動又は電動力にて押し下げることにより展張させたスクリーンをケーシング内に巻き取り収納させることができるスクリーン装置において、前記ケーシング内に回転自在に支持される巻き取り部材にスクリーンの一端を連結し、かつ、該スクリーンの他端を断面形状がほぼ長方形状でスクリーン幅方向に沿ってスクリーンとほぼ同一の長さを有する板状部材に連結し、前記板状部材を上端保持部材に保持させるように構成してなるスクリーンの端部連結構造に関する。
【０００２】
【従来の技術】
上記スクリーンの一端が連結された板状部材を上端保持部材に連結する場合には、下端にスクリーンを通過させることができる開口が形成された内部中空型のスクリーン支持バー内に板状部材を挿入した後、スクリーン支持バーに板状部材をビスなどにより固定し、そのスクリーン支持バーをトップバー（本願で言う上端保持部材）内に挿入してから、トップバー内に配置されたスクリーン支持バーを押し上げボルトにて押し上げて固定するようにしている（例えば、特許文献１参照。）。
【０００３】
【特許文献１】
特開平６−５１４０３号公報（図１）
【０００４】
【発明が解決しようとする課題】
上記特許文献１によれば、スクリーン支持バー内に挿入した板状部材を一旦固定する作業と、そのスクリーン支持バーを上端保持部材に固定する作業の２つの煩わしい作業を必要とし、作業効率が低下するものであった。又、部品点数も多くなると共にスクリーンの支持構造全体が大型化してしまいコスト面及び取扱面において不利になるものであった。
【０００５】
本発明が前述の状況に鑑み、解決しようとするところは、部品点数の削減化及び組み立て作業の容易迅速化を図ることができるスクリーンの端部連結構造を提供する点にある。
【０００６】
【課題を解決するための手段】
本発明のスクリーンの端部連結構造は、前述の課題解決のために、ケーシング内に回転自在に支持される巻き取り部材にスクリーンの一端を連結し、かつ、該スクリーンの他端を断面形状がほぼ長方形状でスクリーン幅方向に沿って所定長さを有する板状部材に連結し、前記板状部材を上端保持部材の内部空間内に保持させ、前記上端保持部材を上方に位置させてスクリーンを展張させた使用姿勢と該上端保持部材を該ケーシング側へ移動させて該スクリーンを巻き取り収納させた収納姿勢とに該スクリーンを姿勢変更自在に構成してなるスクリーン装置において、前記上端保持部材の下端に、前記スクリーンの他端が連結された板状部材をそれの断面視における長辺がほぼ上下方向に沿う上下姿勢で該上端保持部材に挿入可能な開口部を形成し、前記上端保持部材内に挿入された板状部材をそれの断面視における長辺がほぼ水平となる水平姿勢又は上下方向と交差する傾斜姿勢に保持させるための姿勢保持手段を備えさせたことを特徴としている。
従って、スクリーンの他端が連結された板状部材をそれの断面視における長辺がほぼ上下方向に沿う上下姿勢で上端保持部材内にそれの開口部を通して挿入することによって、姿勢保持手段が板状部材を上端保持部材内に水平姿勢又は傾斜姿勢で姿勢保持させることができる。そして、前記上端保持部材を手動力又は電動力を用いて上下動させることによって、スクリーンをケーシング外に送り出して展張させた使用姿勢とケーシング内に巻き取った収納姿勢とにリンク機構を利用してスムーズに姿勢変更させることができる。
【０００７】
前記スクリーンを復元力を有する材料から構成し、前記板状部材の表裏両面のうちの一方の面に前記スクリーンをそれの上端の裏面を当て付けた状態で取り付け、前記取り付けられたスクリーンを前記板状部材の他方の面側へ巻き付けて該板状部材を前記上端保持部材の開口部を通して挿入することにより、該スクリーンが該板状部材の他方の面から離れる側へ移動して該板状部材を該上端保持部材内に固定して、前記姿勢保持手段を構成している。
上記のように取り付けられたスクリーンを板状部材の他方の面側へ巻き付けた状態で板状部材を上端保持部材の開口部を通して挿入することによって、復元力によりスクリーンが板状部材の他方の面から離れる側へ移動する、つまり巻き付けられたスクリーンが広がって巻き付け解除状態になる。そして、開口部にスクリーンが押し付けられることで、板状部材を上端保持部材内に固定することができるのである。
【０００８】
前記上端保持部材を構成する前後壁部のうちの後壁部又は前壁部の下部に、後方側ほど下方に位置する又は前方側ほど下方に位置する前記傾斜姿勢の板状部材の下端を係止する凹部を形成してもよい。
上記のように傾斜姿勢の板状部材の下端を凹部に係止させることによって、スクリーン装置の運搬時やハンドリング時に発生する振動などにより、上端保持部材内に配置されている板状部材が移動したり回転することを確実に阻止することができる。
【０００９】
又、前記上端保持部材を構成する前後壁部の内面同士の間隔を前記板状部材の断面視における長辺寸法よりも小さく設定してもよい。
上記のように上端保持部材内に傾斜姿勢で保持されている板状部材が、スクリーン装置の運搬時やハンドリング時に発生する振動などにより、上端保持部材内で移動したり回転することを確実に阻止することができる。
【００１０】
又、前記上端保持部材の左右両端に開口される開口部を閉じるためのキャップを設け、それらキャップのうちの少なくとも一方のキャップに、前記板状部材と上端保持部材との間に形成される隙間に入り込んで該板状部材の回転を接当阻止するための突出部を備えさせてもよい。
上記のようにキャップに備えさせた突出部により、上端保持部材内に水平姿勢又は傾斜姿勢で保持されている板状部材が、スクリーン装置の運搬時やハンドリング時に発生する振動などにより、上端保持部材内で移動したり回転することを確実に阻止することができる。
【００１１】
【発明の実施の形態】
図１及び図２に、合成樹脂製のスクリーン（サイズ（大きさ）は図に示すもの以外でもよい）１を上方に立ち上げて展張させた使用姿勢となった自立式収納昇降スクリーン装置（以下、スクリーン装置と称する）２を示し、ケーシング３内に支持された巻き取り部材としての円筒状の巻き取りパイプ４に巻き取ることによって、持ち運び可能な軽量で小型（ハンディ型）のスクリーン装置２を構成しているが、大型のスクリーン装置であってもよい。尚、以下において、図１に示したスクリーン装置２を収納するためのケーシング３の長手方向（スクリーン左右幅方向）を左右方向とし、前記ケーシング３の長手方向（スクリーン左右幅方向）と直交する方向を前後方向として説明する。前記昇降スクリーン２は、前記スクリーン１を巻き取り収納するための前記ケーシング３と、前記スクリーン１の背（後）面側に配置され、かつ、該スクリーン１の上端が連結された金属製（木製や合成樹脂製などでもよい）の上端支持部材５の左右両端に上端が枢支連結された左右のリンク機構６，６とを備えている。ここでは、前記ケーシング３内に位置している前記上端保持部材５を上方に手で持ち上げることによりスクリーン１を使用姿勢にし、かつ、上方に位置させた上端保持部材５を下方へ手で押し下げることにより使用姿勢のスクリーン１を巻き取り収納させることができるように構成しているが、電動モータなどの電動力にて前記スクリーン１を姿勢変更することもできる。又、スクリーン装置２は、図に示される形状や大きさ等に限定されるものではなく、自由に変更することができる。前記リンク機構６，６を用いて上端保持部材５を上げ下げ（昇降）できるようにしているが、他の機構を用いて上端保持部材５を昇降させるようにしてもよい。
【００１２】
図１及び図２に示すように、前記ケーシング３は、前述した上方開口部３Ｋが形成された断面形状がほぼコの字状で筒状のケース本体３Ａと、このケース本体３Ａの左右両端の開口部を閉じるための端部キャップ３Ｂ，３Ｂと、前記ケース本体３Ａの下面のうちの左右の特定２箇所に回転自在に取り付けられた平面視においてほぼ長方形状の脚部３Ｃ，３Ｃとからなっているが、他の構成であってもよい。尚、前記ケース本体３Ａの底部に、図２に示すように、前記リンク機構６，６の下端部を枢支連結するためのブラケット７，７を固定している。
【００１３】
前記スクリーン１は、前述したように、ケーシング３内に支持された円筒状の巻き取りパイプ４に巻き取られており、その巻き取りパイプ４は、図示していないスプリング等の付勢手段により巻き取り付勢（一方向に回転付勢）されている。そして、前記スクリーン１の上端に取り付けた板状部材８を、該スクリーン１の左右幅とほぼ同一の左右寸法を有する前記上端支持部材５に係止することにより、スクリーン１の上端を上端支持部材５に連結できるようにしており、その連結構造について詳述すれば、図３〜図５に示すように、上端保持部材５を、それの断面形状がほぼ逆Ｕ字状の外形に形成すると共に内部の下方箇所にほぼ矩形状の内部空間５Ｋを形成し、かつ、下面（底面）に金属製（合成樹脂製や木製などでもよい）の板状部材８をそれの断面視において長辺方向が水平となる姿勢での挿入が不可能な大きさ、つまり長辺方向がほぼ上下方向に向いた姿勢での挿入が可能な大きさに形成された開口部５Ａを備えたものから構成し、図６（ａ）に示すように、前記内部空間５Ｋを形成する３つの壁部、つまり前壁部５ａ、上壁部５ｂ、後（背）壁部５ｃのうちの後（背）壁部５ｃの下側を後方に突出させることにより内部に後方に突出する凹部５Ｓを形成している。従って、前記開口部５Ａを通してスクリーン１の上端が接着剤にて固定された（ビスなどにより固定してもよい）板状部材８を挿入し、この板状部材８の一端を凹部５Ｓに係止保持させることによって、スクリーン装置２の運搬中やハンドリング中の振動などにより、上端保持部材５内に挿入した板状部材８が不測に移動したり回転するようなことがなく、板状部材８が開口部５Ａを通して外部に外れることを確実に阻止することができるようにしている。
【００１４】
また、前記上端保持部材５の後（背）面の左右の２箇所それぞれに、ビスＢ１により固定されると共に後方に延出された板状の延出部材９と、この延出部材９の水平板部の下面前側にビスＢ２により固定された板状の補助部材１０とで前記リンク機構６，６の上端部を枢支連結するための連結具１１を構成している。尚、図１及び図２に示す５Ａは、スクリーン１を持ち上げるために、前記上端支持部材５の左右方向ほぼ中央部にビス止めされた取っ手であるが、無くてもよい。又、前記上端保持部材５の左右両端は、開口されており、その開口部を閉じるために一方が開放された箱形の合成樹脂製（金属製や木製などでもよい）のキャップ１２，１２を上端保持部材５の左右両端にそれぞれ嵌合により装着されている。前記キャップ１２，１２を嵌合の他、ビス止めにより上端保持部材５の両側に固定してもよい。
【００１５】
前記板状部材８は、図５及び図６（ａ），（ｂ）に示すように、断面形状が長方形状であり、図１及び図２に示すスクリーン１の左右幅とほぼ同一の長さを有する長尺な寸法を有するものである。そして、前記板状部材８の表裏両面８Ａ，８Ｂのうちの一方の面８Ａにほぼ全面に渡って接着剤を用いてスクリーン１の上端の表面を接着固定し、図６（ａ）に示すように板状部材８の他方の面８Ｂへスクリーン１を接触するように巻き付け、その状態を指で維持したまま板状部材８の断面における長辺方向がほぼ上下方向に沿った状態で上方に移動させて前記開口部５Ａを通して上端保持部材５の内部空間５Ｋ内へ挿入して手を離すことによって、図６（ｂ）に示すように、板状部材８の裏面側に押し付けられていたスクリーン１が復元力にて離れる側へ移動することにより、板状部材８の下端が凹部５Ｓに係止すると共に上端保持部材５の内面や開口部５Ａをスクリーン１の一部が押圧することで板状部材８が上下方向と交差する傾斜姿勢で固定される姿勢保持手段を構成している。このように凹部５Ｓに板状部材８の下端が係止することによって、この板状部材８の下端が上方へ移動して回転することが阻止されることから、開口部５Ａから板状部材８が内部空間５Ｋ内から外部へ外れてしまうことがないようにしている。ここでは、板状部材８を上下方向に対して交差する斜め方向に維持させることにより、板状部材８を水平姿勢に維持させる場合に比べて上端保持部材５の前後幅を小さな寸法にすることができる利点があるが、板状部材８を水平姿勢に維持させて実施してもよい。又、前記姿勢保持手段を、スクリーン１の復元力と前記上端保持部材５に形成した凹部５Ｓとから構成することによって、スクリーン装置の運搬時やハンドリング時に発生する振動などにより、上端保持部材５内に配置されている板状部材８が移動したり回転することを確実に阻止することができる利点があるが、凹部５Ｓの無い上端保持部材５、つまりスクリーン１が復元力のみで上端保持部材５内に板状部材８を保持させる構成であってもよい。前記スクリーン１を復元力の大きな合成樹脂で構成する他、復元力を有するものであれば、布又は紙など、どのような材料であってもよい。
【００１６】
図５及び図６（ａ），（ｂ）では、凹部５Ｓに板状部材８の下端を係止することにより板状部材８と上端保持部材５との連結が解除されることを阻止することができるように構成したが、図７〜図９に示すように構成してもよい。
【００１７】
図７では、内部空間５Ｋの前後方向の寸法、つまり前壁部５ａの内面５Ｈと後壁部５ｃの内面５Ｅ同士の間隔Ｌ１を板状部材８が回転することができないように板状部材８の断面における長辺寸法（長辺の長さ）よりも小さくなるように設定することによって、板状部材８が不測に回転して内部空間５Ｋ内から開口部５Ａを通して外部に外れることがないようにしている。このように上端保持部材５を構成することによって、上端保持部材５の前後方向の寸法（サイズ）を小さくすることができる利点がある。
【００１８】
また、図８では、前壁部５ａの内面の上下方向ほぼ中央に後方に突出する突起５Ｔを膨出させることにより、上壁部５ｂの下面と突起部５Ｔの上面と前壁部５ａの後面とで凹部５Ｓが形成され、凹部５Ｓ内に前記内部空間５Ｋ内に挿入した板状部材８に固定されたスクリーン１の一部を入り込ませて係止させることによって、前方側ほど上方に位置する前上がり姿勢に板状部材８を維持させるようにしてもよい。尚、図８では、凹部５Ｓ内にスクリーン１の一部を入り込ませて係止させる場合を示しているが、板状部材８の断面視における長手方向一端部（図では上端部）も凹部５Ｓに入り込んで係止した状態であってもよい。
【００１９】
また、図９（ａ），（ｂ）では、前記キャップ１２の内面に棒状の突出部１３を一体的に（別体形成した突出部１３をキャップ１２に接着剤などにより備えさせてもよい）備えさせて、キャップ１２を上端保持部材５の両側に装着することにより突出部１３を板状部材８と上端保持部材５の前壁部５ａの内面との隙間に挿入することにより、開口部５Ａから上方に突出する隆起部５Ｚと突出部１３とでほぼ水平姿勢になった板状部材８を水平保持することができるようにしている。尚、図９（ａ）では、突出部１３を挿入し易いように突出部１３と上端保持部材５の前壁部５ａの内面との間に隙間がある状態を示しているが、例えば突出部１３の直径を大きくして突出部１３と上端保持部材５の前壁部５ａの内面とが接触した状態に構成してもよい。又、図９（ａ），（ｂ）では、板状部材８の断面における長辺方向一端（下端）側において板状部材８の下端面８Ｂの前側箇所に隆起部５Ｚが接当し、かつ、板状部材８の断面における長辺方向他端（上端）側において板状部材８の表面８Ａに位置するスクリーン１の前後方向ほぼ中央箇所に突出部１３が接当することにより、隆起部５Ｚと突出部１３とで板状部材８を所定姿勢（ほぼ水平姿勢）で挟持保持できる構成にしているが、隆起部５Ｚ及び突出部１３が板状部材８に接当する位置及び板状部材８の姿勢は自由に変更することができる。図９（ａ），（ｂ）で示したキャップ１２を用いる場合には、板状部材８を水平方向で固定するように突出部１３をキャップ１２に備えさせることもできる。又、図９（ａ）では、スクリーン１の復元力を利用することで上端保持部材５内に固定できるようにする他、係止のみで上端保持部材５内に固定できるように構成することもできる。
【００２０】
【発明の効果】
請求項１の発明によれば、スクリーンの他端が連結された板状部材をそれの断面視における長辺がほぼ上下方向に沿う上下姿勢で上端保持部材内にそれの開口部を通して挿入するだけで、姿勢保持手段にて板状部材を上端保持部材内に水平姿勢又は傾斜姿勢で姿勢保持させることができるから、従来のようにスクリーン支持バーが不要になるだけでなく、組み立て作業も容易迅速に行うことができ、部品点数の削減化によるコストの低減及び組み立て作業の高効率化を同時に図ることができるスクリーンの端部連結構造を提供することができる。
【００２１】
請求項２の発明によれば、スクリーンの持つ復元力を利用することによって、スクリーンの一端を取り付けた板状部材の他方の面側へスクリーンを巻き付けた状態で板状部材を上端保持部材の開口部を通して挿入するだけで、スクリーンが板状部材の他方の面から離れる側へ移動する、つまり巻き付けられたスクリーンが広がって巻き付け解除状態になり、上端保持部材の内面や開口部にスクリーンを押し付けることで、板状部材を上端保持部材内に固定することができ、上端保持部材や板状部材を何等改造することなく、スクリーンの端部を上端保持部材に固定することができ、コスト面及び組み立て面のいずれにおいても有利になる。
【００２２】
請求項３の発明によれば、傾斜姿勢の板状部材の下端を凹部に係止させることによって、スクリーン装置の運搬時やハンドリング時に発生する振動などにより、上端保持部材内に配置されている板状部材が移動したり回転することを確実に阻止することができ、スクリーン装置の運搬中やハンドリング中にスクリーンの一端が外れるといったトラブル発生のない信頼性の高いものにすることができる。
【００２３】
請求項４の発明によれば、上端保持部材を構成する前後壁部の内面同士の間隔を上端保持部材の長辺寸法よりも小さく設定することによって、上端保持部材そのものの小型化を図りながらも、請求項３と同様にスクリーン装置の運搬中やハンドリング中にスクリーンの一端が外れるといったトラブル発生のない信頼性の高いものにすることができる。
【００２４】
請求項５の発明によれば、上端保持部材の左右両端に開口される開口部を閉じるために両端に装着されるキャップに、板状部材と上端保持部材との間に形成される隙間に入り込んで板状部材の回転を接当阻止するための突出部を備えさせて構成することによって、上端保持部材を何等改造することが不要になり、上端保持部材の設計の自由度を図ることができながらも、請求項３と同様にスクリーン装置の運搬中やハンドリング中にスクリーンの一端が外れるといったトラブル発生のない信頼性の高いものにすることができる。
【図面の簡単な説明】
【図１】使用姿勢のスクリーン装置の正面図である。
【図２】使用姿勢のスクリーン装置の一部を断面にした背面図である。
【図３】上端保持部材の一端側の一部を示す平面図である。
【図４】上端保持部材の一端側の一部を示す背面図である。
【図５】上端保持部材の縦断側面図である。
【図６】（ａ）は上端保持部材にスクリーンの上端を挿入する直前の状態を示す縦断面図であり、（ｂ）は上端保持部材にスクリーンの上端を挿入を完了した直後の状態を示す縦断面図である。
【図７】姿勢保持手段の他の構成を示す上端保持部材の縦断面図である。
【図８】姿勢保持手段の他の構成を示す上端保持部材の縦断面図である。
【図９】姿勢保持手段の他の構成を示し、（ａ）は上端保持部材の縦断面図である。（ｂ）はキャップの側面図である。
【符号の説明】
１  スクリーン        ２  スクリーン装置
３  ケーシング        ３Ａ  ケース本体
３Ｃ  脚部            ３Ｂ  端部キャップ
３Ｋ  上方開口部      ４  パイプ
５Ｓ  凹部            ５Ａ  開口部
５Ｋ  内部空間        ５Ｓ  空間
５  上端保持部材      ５ｂ  上壁部
５ａ  前壁部          ５Ｔ  突起
５ｃ  壁部            ５Ｚ  隆起部
６  リンク機構        ７  ブラケット
８  板状部材          ８Ａ，８Ｂ  面
９  延出部材          ９Ｋ  空間
１０  補助部材        １１  連結具
１２  キャップ        １３  突出部
Ｂ１，Ｂ２  ビス      Ｌ１  寸法
【図１】
2004205913.tif 000003
【図２】
2004205913.tif 000004
【図３】
2004205913.tif 000005
【図４】
2004205913.tif 000006
【図５】
2004205913.tif 000007
【図６】
2004205913.tif 000008
【図７】
2004205913.tif 000009
【図８】
2004205913.tif 000010
【図９】
2004205913.tif 000011